(57)【要約】【課題】イグナイタの組み付け時に着火性能を悪化させず、かつメンテナンス性のよいバーナ装置を提供することを目的とする。【解決手段】バーナ部１２を収容したバーナケースと１３、放電点火するためのスパークロッド１７と、イグナイタ１８と、を備え、筐体１ａ内に配置されたバーナ装置３において、イグナイタ１８は、ソケット一体型とし、ソケット部１８ａのある面にアース導通部１８ｂを有し、スパークロッド１７は、バーナ部１２の内部に配置されるロッド先端部１７ａと、碍子部１７ｂと同一軸線上に配されたプラグ端１７ｃとを有し、プラグ端１７ｃがバーナケース１３の筐体１ａ前面側の側面から突出するように碍子部１７ｂがバーナケース１３に固定されて設けられ、プラグ端１７ｃにイグナイタ１８のソケット部１８ａが挿入されることで、イグナイタ１８のアース導通部１８ｂがバーナケース１３にアース可能に接触するようにした。【選択図】図３
2019032125.tif 000002
【特許請求の範囲】
【請求項１】
燃料を燃焼させるバーナ部と、前記バーナ部を収容したバーナケースと、前記バーナ部に放電点火するためのスパークロッドと、前記スパークロッドに高電圧を印加するイグナイタと、を備え、筐体内に配置されたバーナ装置において、前記イグナイタは、ソケット一体型とし、ソケット部のある面にアース導通部を有し、前記スパークロッドは、バーナ部の内部に配置されるロッド先端部と、絶縁性の碍子部と、前記碍子部と同一軸線上に配されたプラグ端とを有し、前記スパークロッドのプラグ端が、前記バーナケースの前記筐体前面側の側面から突出するように前記碍子部が前記バーナケースに固定されて設けられ、前記スパークロッドのプラグ端に前記イグナイタのソケット部が挿入されることで、前記イグナイタのアース導通部が前記バーナケースにアース可能に接触するようにしたことを特徴とするバーナ装置。
【請求項２】
前記イグナイタの上部に、前記バーナケースに固定された防滴カバーを設けたことを特徴とする請求項１記載のバーナ装置。
【請求項３】
前記防滴カバーは、前記イグナイタの上部を覆う上面板と、前記イグナイタの反バーナ部側を覆い前記上面板から連続した側面板とから成り、前記上面板はバーナ部側が下方となるように傾斜していることを特徴とする請求項２記載のバーナ装置。
【請求項４】
前記防滴カバーは、前記イグナイタのプラグ端と前記スパークロッドのソケット部の接続部と、前記イグナイタの電源コードが接続されるコネクタ部の上部が覆われる奥行き長さを有していることを特徴とする請求項３記載のバーナ装置。
【請求項５】
前記請求項１〜４の何れか一項に記載のバーナ装置を用いた温水ボイラ。
【発明の詳細な説明】
【技術分野】
【０００１】
本発明は、燃料を燃焼させるバーナ装置およびこれを用いた給湯機や暖房用の温水ボイラに関する。
【背景技術】
【０００２】
従来より、この種の温水ボイラ用のバーナ装置においては、特許文献１に示されているように、燃料を燃焼させるバーナ部と、バーナ部を収容したバーナケースと、バーナ部に放電点火するためのスパークロッドと、スパークロッドに高電圧を印加するイグナイタと、を備えている。スパークロッドはバーナケースの下側面から挿入固定されているとともに、プラグ端がバーナケースの下側面に沿う方向に直角に曲げられている。イグナイタは、ソケット一体型で、このプラグ端に直接挿入され、バーナケースの下面に固定されているものであった。
【先行技術文献】
【特許文献】
【０００３】
【特許文献１】特開２００９−１８０３８０号公報
【発明の概要】
【発明が解決しようとする課題】
【０００４】
ところがこの従来のものでは、イグナイタを接続する際には、スパークロッドの固定位置から距離が離れた位置で固定面に平行な方向から力が掛かるため、テコの原理によって、スパークロッドのバーナケースへの固定部が変位し、バーナ部に臨むスパークロッドの先端が位置ズレし、着火性能が悪化するなどの弊害が生じる恐れがあった。
【０００５】
また、イグナイタがバーナケースの下面に固定されているため、スパークロッドの点検時やイグナイタの交換時には、バーナ装置を外してからイグナイタを外す必要があり、メンテナンス性に向上の余地があった。
【０００６】
本発明は、イグナイタの組み付け時に着火性能を悪化させず、かつメンテナンス性のよいバーナ装置を提供することを目的とする。
【課題を解決するための手段】
【０００７】
そこで、本発明では、燃料を燃焼させるバーナ部と、前記バーナ部を収容したバーナケースと、前記バーナ部に放電点火するためのスパークロッドと、前記スパークロッドに高電圧を印加するイグナイタと、を備え、筐体内に配置されたバーナ装置において、前記イグナイタは、ソケット一体型とし、ソケット部のある面にアース導通部を有し、前記スパークロッドは、バーナ部の内部に配置されるロッド先端部と、絶縁性の碍子部と、前記碍子部と同一軸線上に配されたプラグ端とを有し、前記スパークロッドのプラグ端が、前記バーナケースの前記筐体前面側の側面から突出するように前記碍子部が前記バーナケースに固定されて設けられ、前記スパークロッドのプラグ端に前記イグナイタのソケット部が挿入されることで、前記イグナイタのアース導通部が前記バーナケースにアース可能に接触するようにした。
【０００８】
また、前記イグナイタの上部に、前記バーナケースに固定された防滴カバーを設けた。
【０００９】
また、前記防滴カバーは、前記イグナイタの上部を覆う上面板と、前記イグナイタの反バーナ部側を覆い前記上面板から連続した側面板とから成り、前記上面板はバーナ部側が下方となるように傾斜している。
【００１０】
また、前記防滴カバーは、前記イグナイタのプラグ端と前記スパークロッドのソケット部の接続部と、前記イグナイタの電源コードが接続されるコネクタ部の上部が覆われる奥行き長さを有している。
【００１１】
また、上記のバーナ装置を用いた温水ボイラである。
【発明の効果】
【００１２】
本発明によれば、イグナイタ及びスパークロッドが筐体前面側に配置され、イグナイタのソケット部を有した面にアース導通部が設けられているため、イグナイタを組み付けるだけでアースの導通が確保されると共に、イグナイタの交換やスパークロッドの点検・交換などが容易に行え、バーナケースに固定されている碍子部と同一軸線上のプラグ端にイグナイタが差し込まれるため、スパークロッドの先端部の変位がなく、組み付けによってスパークロッドが狙いの位置からずれてしまうことがなくなり、良好な点火性能を確保できる。
【００１３】
また、イグナイタがバーナケースの側面に設けられることで、イグナイタとプラグ端の間に被水して故障の恐れが生じるが、イグナイタの上部にバーナケースに固定された防滴カバーを設けたので、筐体内に雨の水滴が入り込んだり被加熱対象の水が漏れた場合に、防滴カバーによってイグナイタやスパークロッドが被水して故障してしまうのを容易に防止することができる。
【図面の簡単な説明】
【００１４】
【図１】本発明の一実施形態のバーナ装置を用いた温水ボイラの前面パネルを外した状態の正面図
【図２】同一実施形態のバーナ装置の要部分解斜視図
【図３】同一実施形態のバーナ装置の正面図
【図４】同一実施形態のバーナ装置の要部概略断面図
【図５】同一実施形態のバーナ装置の要部断面図
【図６】同一実施形態のイグナイタの斜視図
【図７】同一実施形態のスパークロッドの（ａ）平面図と（ｂ）正面図
【発明を実施するための形態】
【００１５】
次に、本発明の一実施形態のバーナ装置を用いた温水ボイラについて、図１に基づいて説明する。
１は暖房用の循環液を加熱する温水ボイラ本体で、筐体１ａの前面パネル（図示せず）を外して内部が見える状態で図示されている。２は循環液を加熱するための熱交換器としての缶体、３は缶体２の側面開口部に設けられて缶体２内の燃焼室（図示せず）に臨み、燃焼によって缶体２内の循環液を加熱するバーナ装置、４は熱交換後の燃焼ガスを外部に排気する排気口、５は循環液を暖房端末に循環させる循環ポンプ、６はこの温水ボイラを制御する制御基板である。
【００１６】
次に、バーナ装置３について、図２〜６に基づいて説明する。
バーナ装置３は、燃料として灯油等の液体燃料を用い燃焼方式として圧力噴霧式を採用したもので、側面に燃焼空気を供給するための空気孔７が多数開口され、中間位置に燃焼空気を供給するとともに旋回流を与えるスタビライザー８が設けられた内筒９と、内筒９の外側に同心円状に設けられ先端から二次空気を供給する外筒１０と、内筒９の底部に設けられ液体燃料を噴霧するノズル１１とでバーナ部１２が構成されている。１３は、このバーナ部１２の底部を収容するバーナケースで、内筒９内と外筒１０内に燃焼空気および二次空気を供給する燃焼ファン１４が接続されている。
【００１７】
ノズル１０には、液体燃料を圧送する燃料ポンプ１５が燃料パイプ１６を介して接続されている。燃料ポンプ１５は、バーナケース１３の前面側（以下、単に前面側という場合は温水ボイラ本体１の前面側を意味する）の側面に固定されている。１７は、ノズル１０の先端に所定の離隔距離を持たせて臨ませた一対のスパークロッドで、イグナイタ１８の高圧印加により火花放電して液体燃料に点火するものである。
【００１８】
スパークロッド１７は、、バーナ部１２の内部のノズル１０に臨ませて配置されるロッド先端部１７ａと、絶縁性の碍子部１７ｂと、碍子部１７ｂと同一軸線上に配されたプラグ端１７ｃとを有し、碍子部１７ｂがバーナケース１３の前面側に開口された開口部１３ａに固定金具１９ａ、１９ｂを介して固定されている。
【００１９】
一対のスパークロッド１７は、ロッド先端部１７ａは、碍子部１７ｂの軸線からバーナ部１２の中心方向に向かって延伸され、さらにノズル１０の先端に向けて屈曲され、一対のロッド先端部１７ａ間で所定間隔を持たせて近接配置されているとともに、ロッド先端部１７ａの先端とノズル１０の先端とは前記所定間隔よりも広い所定の離隔距離を持たせてノズル１０の先端に近接配置されている。
【００２０】
イグナイタ１８は、その一端にスパークロッド１７のプラグ端１７ｃが挿入されるソケット部１８ａと、イグナイタ１８のアース端となる金属製のアース導通部１８ｂと、バーナケース１３に固定するための固定部１８ｃとが一体的に設けられていると共に、その他端に電源コードを接続するコネクタ部１８ｄが設けられて構成され、バーナケース１３の前面側に突出しているスパークロッド１７のプラグ端１７ｃに直接挿入されて、バーナケース１３にアース導通部１８ｃが接触した状態で固定部１８ｃを介して固定されている。
【００２１】
２０は、バーナケース１３に固定されて設けられ、Ｌ字状に形成された防滴カバーである。この防滴カバー２０は、上面板２０ａと側面板２０ｂとが一枚の板部材を折り曲げて継ぎ目なく連続した形状を有し、上面板２０ａと側面板２０ｂはイグナイタ１８とバーナケース１３の接続面の上部および反バーナ部１２側の側面を覆うと共に、イグナイタ１８のコネクタ部１８ｄの上部および側面を覆う奥行き長さを有している。また、上面板２０ａは、バーナ部１２に近い側（図４の左側）が下方となるように傾斜している。
【００２２】
次に、バーナ装置３の点火動作について説明する。
燃焼要求が発生すると、燃焼ファン１４とイグナイタ１８が駆動され、その後に燃料ポンプ１５が駆動される。燃料ポンプ１５の駆動によって圧送された液体燃料は、燃料パイプ１６を介してノズル１１へ供給され、ノズル１１の先端から円錐状に液体燃料が噴霧され、噴霧された液体燃料がイグナイタ１８の駆動によってスパークロッド１７のロッド先端部１７ａ間で発生している放電火花により点火され、スタビライザー８で旋回流とされた燃焼空気や、内筒９の空気孔７から供給される燃焼空気により燃焼が進行し、さらに内筒９と外筒１０の隙間から供給される二次空気により燃焼が促進される。
【００２３】
この点火動作において、スパークロッド１７のロッド先端部１７ａのノズル１１に対する位置関係は、点火性能に大きく影響を与えるもので、適切な狙いの位置にロッド先端部１７ａが位置している必要がある。
【００２４】
このバーナ装置３においては、バーナ装置３の組立時や、点検・メンテナンス時において、スパークロッド１７のプラグ端１７ｃが固定金具１９ａ、１９ｂのある取付面に対して垂直の方向に突出している構造であるため、イグナイタ１８を取り付ける際には、取付面に対して垂直の方向に力が作用し、従来のようなテコの力が掛からないと共に、イグナイタ１８のソケット部１８ａが配置されている面のアース導通部１８ｂがバーナケース１３に当接する位置よりイグナイタ１８を深く差し込むことができないため、スパークロッド１７のロッド先端部１７ａの先端の変位がほとんどなく、良好な点火性能を確保することができる。
【００２５】
また、イグナイタ１８は温水ボイラ本体１の筐体１ａ前面側に配置され、イグナイタ１８を取り付けるだけでバーナケース１３にイグナイタ１８のアース導通部１８ｂが接触してアースの導通が確保できるため、イグナイタ１８の単体での着脱が容易に可能となり、同時にスパークロッド１７の着脱も容易となると共に、イグナイタ１８の交換やスパークロッド１７の点検・交換などが容易に行える。
【００２６】
さらに、イグナイタ１８がバーナケース１３の側面に設けられることで、イグナイタ１８とプラグ端１７ｃの間に被水して故障の恐れが生じるが、イグナイタ１８の上部にバーナケース１３に固定された防滴カバー２０を設けたので、温水ボイラ本体１の筐体１ａ内に雨の水滴が入り込んだり被加熱対象の水が漏れた場合に、防滴カバー２０によってイグナイタ１８やスパークロッド１７が被水して故障してしまうのを容易に防止することができる。
【００２７】
このとき、防滴カバー２０の上面板２０ａに滴下した水は、上面板２０ａの傾斜によってバーナ部１２に近い側（図４の左側）へ流れ落ち、イグナイタ１８とバーナケース１３の接続面およびイグナイタ１８のコネクタ部１８ｄを濡らすことがないと同時に、イグナイタ１８のバーナ部１２から遠い側に隣接して配置されている燃料ポンプ１５に過剰な水を掛けることも回避することができる。
【００２８】
このように、本発明のバーナ装置を用いることで、着火性能を悪化させず、かつメンテナンス性のよい温水ボイラを提供することができる。
【００２９】
本発明は上記の実施形態のみに限定されるものではなく、発明の要旨を変更しない範囲で改変可能なものであり、温水ボイラではなく給湯機に用いられるバーナ装置でもよく、また、バーナ部の燃焼方式は圧力噴霧式で説明したが、スパークロッドとバーナ部との位置関係は気体燃料や他の燃焼方式であっても着火性能に影響を与えるものであるので、例えば液体燃料気化式のバーナやガスバーナであってもよく、スパークロッドは１本であってもよい。
【符号の説明】
【００３０】
１ａ  筐体
３  バーナ装置
１２  バーナ部
１３  バーナケース
１７  スパークロッド
１７ａ  ロッド先端部
１７ｂ  碍子部
１７ｃ  プラグ端
１８  イグナイタ
１８ａ  ソケット部
１８ｂ  アース導通部
１８ｄ  コネクタ部
２０  防滴カバー
２０ａ  上面板
２０ｂ  側面板
【図１】
2019032125.tif 000003
【図２】
2019032125.tif 000004
【図３】
2019032125.tif 000005
【図４】
2019032125.tif 000006
【図５】
2019032125.tif 000007
【図６】
2019032125.tif 000008
【図７】
2019032125.tif 000009